(57)【特許請求の範囲】
【請求項１】
時刻を示す時刻情報を受信する受信部と、
装置内部の時間を計算する内部時計と、
前記受信部が受信した時刻情報に基づいて前記内部時計の時刻を設定する時刻管理制御部と、
前記時刻管理制御部が、前記内部時計の設定を行ったか否かを示す設定済み情報を記録する記録部と、
記録媒体に記録された情報を、ユーザの指示に従い出力する情報提示部と、
前記記録媒体に記録された前記情報から、当該情報を使用する期限を示す使用期限情報を抽出する使用期限情報抽出部と、
前記使用期限情報抽出部が抽出した使用期限情報と、前記内部時計の時刻とを比較し、前記記録媒体に記録された情報を出力するか否かを判定する出力可否判定部と、
前記情報提示部が前記情報を出力する際、前記設定済み情報が未設定の場合、前記受信部が時刻情報の受信を行い、当該時刻情報が受信できた場合、前記時刻管理制御部が前記内部時計の時刻を設定し、前記設定済み情報を設定済み状態に変更する制御部と、を備える受信装置。
【請求項２】
前記出力可否判定部は、前記内部時計の時刻が前記使用期限情報で示される期限内であれば前記記録媒体に記録された情報を出力し、前記内部時計の時刻が前記使用期限情報で示される期限外であれば前記記録媒体に記録された情報を出力しない、と判定する、請求項１記載の受信装置。
【請求項３】
前記出力可否判定部は、前記設定済み情報を確認できない場合は、前記記録媒体に記録された情報を出力しないと判定する、請求項１又は２記載の受信装置。
【請求項４】
放送波から時刻を示す第１の時刻情報を受信する第１の受信部と、
外部ネットワークから時刻を示す第２の時刻情報を受信する第２の受信部と、
装置内部の時刻が設定される内部時計と、
前記第１の受信部が前記第１の時刻情報を受信できた場合、当該第１の時刻情報に基づき前記内部時計の時刻を設定し、前記第１の受信部が前記第１の時刻情報を受信できなかった場合、前記第２の時刻情報に基づいて前記内部時計の時刻を設定する時刻管理制御部と、
前記時刻管理制御部が前記第１の時刻情報に基づいて前記内部時計の設定を行ったか否かを示す第１の設定済み情報、及び、前記時刻管理制御部が前記第２の時刻情報に基づいて前記内部時計の設定を行ったか否かを示す第２の設定済み情報を記録する記録部と、
記録媒体に記録された情報を、ユーザの指示に従い出力する情報提示部と、
前記記録媒体に記録された前記情報から、当該情報を使用する期限を示す使用期限情報を抽出する使用期限情報抽出部と、
前記使用期限情報抽出部が抽出した使用期限情報と、前記内部時計の時刻とを比較し、前記記録媒体に記録された情報を出力するか否かを判定する出力可否判定部と、
前記情報提示部が前記情報を出力する際、前記第１の設定済み情報、又は、前記第２の設定済み情報の何れも未設定の場合、前記第２の受信部が前記第２の時刻情報を受信し、前記時刻管理制御部が当該第２の時刻情報に基づいて設定した前記内部時計の時刻に基づいて前記第２の設定済み情報を設定済み状態に変更する制御部と、を備える受信装置。
【請求項５】
前記出力可否判定部は、前記内部時計の時刻が前記使用期限情報で示される期限内であれば前記記録媒体に記録された情報を出力し、前記内部時計の時刻が前記使用期限情報で示される期限外であれば前記記録媒体に記録された情報を出力しないと判定する、請求項４記載の受信装置。
【請求項６】
前記出力可否判定部は、前記第１の設定済み情報、及び、前記第２の設定済み情報が未設定の場合、前記記録媒体に記録された情報を出力しないと判定する、請求項４記載の受信装置。
【請求項７】
前記時刻管理制御部は、前記第１の受信部が前記第１の時刻情報を受信できなかった場合、前記第２の受信部が受信する第２の時刻情報に基づいて前記内部時計の時刻を設定する、請求項４乃至６何れか一に記載の受信装置。
【請求項８】
前記第１の設定済み情報が未設定の場合、放送受信障害の警告を前記ユーザに提示し、前記第２の設定済み情報が未設定の場合、通信障害の警告を前記ユーザに提示する警告提示部を備える、請求項４乃至７何れか一に記載の受信装置。
【請求項９】
時刻を示す時刻情報を受信し、
前記受信した時刻情報に基づいて時計の時刻を設定し、
前記時計の設定を行なったか否かを示す設定済み情報を記録し、
記録媒体に記録された情報を、ユーザの指示に従い出力し、
前記記録媒体に記録された情報から、当該情報を使用する期限を示す使用期限情報を抽出し、
前記記録媒体に記録された情報を出力する際、前記設定済み情報が未設定の場合、前記時刻情報の受信を行い、当該時刻情報が受信できた場合、装置内部の内部時計の時刻を設定し、前記設定済み情報を設定済み状態に変更し、
前記抽出された使用期限情報と、前記内部時計の時刻とを比較し、前記記録媒体に記録された情報を出力するか否かを判定する、受信方法。
【請求項１０】
前記記録媒体に記録された情報を出力する際、前記時刻情報が取得できず、前記設定済み情報が未設定の場合、前記記録媒体に記録された情報を出力せず、
前記設定済み情報が設定済み状態の場合、前記内部時計の時刻が前記使用期限情報で示される期限内であれば前記記録媒体に記録された情報を出力し、前記内部時計の時刻が前記使用期限情報で示される期限外であれば前記記録媒体に記録された情報を出力しない、請求項９記載の受信方法。
【請求項１１】
外部ネットワークから時刻を示す第１の時刻情報を受信し、
放送波から時刻を示す第２の時刻情報を受信し、
前記外部ネットワークから前記第１の時刻情報が受信できた場合、当該第１の時刻情報に基づいて装置内部にある内部時計の時刻を設定し、前記外部ネットワークから第１の時刻情報を受信できなかった場合、前記第２の時刻情報に基づいて前記内部時計の時刻を設定し、
前記外部ネットワークから前記内部時計の設定を行ったか否かを示す第１の設定済み情報、及び、放送波から前記内部時計の設定を行ったか否かを示す第２の設定済み情報を記録し、
記録媒体に記録された情報から当該情報を使用する期限を示す使用期限情報を抽出し、
前記記録された第１の設定済み情報、又は、前記第２の設定情報の何れかが設定済みである場合にのみ、前記抽出された使用期限情報と前記内部時計の時刻とを比較し、前記記録媒体に記録された情報を出力するか否かを判定し、
前記第１の設定済み情報が未設定の場合、ネットワーク受信障害の警告を利用者に提示し、前記第２の設定済み情報が未設定の場合、放送受信障害の警告を利用者に提示する、受信方法。
【請求項１２】
前記第１の設定済み情報、又は、前記第２の設定済情報の何れかが設定済みである場合、前記内部時計の時刻が前記使用期限情報で示される期限内であれば前記記録媒体に記録された情報を出力し、前記内部時計の時刻が前記使用期限情報で示される期限外であれば前記記録媒体に記録された情報を出力しない、請求項１１記載の受信方法。
【発明の詳細な説明】
【技術分野】
【０００１】
技術分野は、コンテンツデータをダウンロードし、蓄積する受信装置に関する。
【背景技術】
【０００２】
近年、衛星や地上波によるデジタル放送が一般的に普及してきている。また広帯域になった家庭の通信ネットワークを通した映像、音声等のデジタルコンテンツデータの伝送が使用されるようになってきている。
【０００３】
特許文献１には、「複数の時刻情報が提供されうる環境において、番組録画予約等を正確かつ確実に行うための時刻管理情報を適切に選択或いは設定することのできるテレビ放送受信装置を提供する」ことを課題とし、その解決手段として「デジタルテレビ放送を受信するデジタル放送受信部と、デジタルテレビ放送に含まれる第１の時刻情報を抽出する第１の時刻抽出部と、電気通信回線を介して第２の時刻情報を抽出する第２の時刻抽出部と、時刻を設定可能に構成された電子時計と、電子時計に対して時刻を設定し電子時計の時刻に基づき各種時刻管理を行う制御部とを備え、制御部は、第１の時刻情報が得られた場合にはその時刻情報を用いて電子時計の時刻を設定し、第１の時刻情報が得られず第２の時刻情報が得られた場合には第２の時刻情報を用いて電子時計の時刻を設定すること」が開示されている。
【０００４】
特許文献２には、「外部から時間情報が得られない場合、ユーザによる内蔵タイマーの時間設定を可能にした放送受信装置および時計表示方法を提供する」ことを課題とし、その解決手段として「デジタルテレビジョン放送受信装置１１は、アンテナ４３，４８、チューナ４５，５０によりデジタル放送を選択して受信する機能、および各種インターフェースを通して外部の機器を接続できる機能を備え、全体の制御は制御部５６で行われ、時刻設定は自走型のタイマー部７１により行われる。タイマー部７１は、デジタル放送に含む時間情報を用いて時刻設定ができるほか、デジタル放送の受信ができなかったときには、通信Ｉ／Ｆ６５を介してインターネットから入手した時間情報を用いて行うことも、リモートコントローラ１７等を用いてユーザにより時刻設定を行うこともできる」ことが開示されている。
【０００５】
【特許文献１】特開２００６−１８６５６８号公報
【特許文献２】特開２００６−９４３５８号公報
【発明の開示】
【発明が解決しようとする課題】
【０００６】
デジタル放送やデジタルコンテンツデータの伝送は、一般的に映像や音声のコンテンツはＭＰＥＧ等の方式により圧縮され、ストリームやファイルの形式で伝送されており、受信装置ではそれをデコーダで伸張して再生を行っている。また受信装置に蓄積機能がある場合には、受信したコンテンツのファイルを蓄積し、後で再生する事ができる。
【０００７】
また、有料で映像、音声のコンテンツを提供するサービスの場合には、コンテンツを蓄積機能から読み出して再生する場合に、そのコンテンツに再生できる使用期限が設定されている場合が考えられ、この場合は使用期限に従って再生可否を制御することが求められる。
【０００８】
上記特許文献１及び特許文献２には、放送受信装置が放送から取得した時刻情報や、通信回線から取得した時刻情報により、受信装置の電子時計を設定するシステムの例が記載されている。
【０００９】
しかし、特許文献１の［００７６］の「自動時刻設定機能を許可或いは禁止にすることをユーザが選択可能に構成されているため、ユーザが手動で設定したＲＴＣ９の任意の時刻を優先的に使用することも可能であり、柔軟性の高い時刻管理が可能となる」との記載、及び特許文献２の［００１１］の「外部から正常に時間情報が入って来ない場合でも、ユーザが手動でタイマーに時刻を設定することができるため、外部から正常に時間情報を入手できるようになるまでの間、支障なく時計表示を行うことができる」との記載から、特許文献１及び特許文献２では放送や通信回線からの時刻情報による自動時刻設定機能を禁止した場合、或いは外部から時刻情報を受信できない場合には、ユーザが電子時計に時刻を設定することが可能となっている。この場合、電子時計の時刻は正確な時刻に設定されている場合と、ユーザが設定した不正確な時刻に設定されている場合の両方が考えられる。ユーザが誤って、あるいは故意に電子時計の時刻を不正確な時刻に設定した場合（例えば日付を１週間前の日付に設定した場合）、本来使用期限が過ぎているはずの有料の映像や音声などのコンテンツ再生できてしまうおそれがある。
【課題を解決するための手段】
【００１０】
前記課題は、その一例として特許請求の範囲に記載の構成により解決できる。
【発明の効果】
【００１１】
上記手段によればコンテンツのより適正な制御ができる。具体的には、例えば使用期限のあるコンテンツを再生するときに、時刻情報を入手できない場合でも、電子時計の時刻が過去に受信した時刻情報であることを判別して使用でき、ユーザによる故意の設定の余地を少なくできる。
【発明を実施するための最良の形態】
【００１２】
以下に本発明の実施の形態を説明する。
【実施例１】
【００１３】
図４は実施例１で使用する、受信装置の一般的な構成を示している。各構成の基本的動作について説明する。
【００１４】
５００は受信装置である。図４においては表示装置５５及びスピーカ５６を含んで受信装置５００としているが、表示装置５５及びスピーカ５６は必ずしも受信装置５００に含まれず、受信装置５００の外に設けてもよい。
【００１５】
５０は受信部である。受信部５０は放送の信号を受信する。受信部５０は例えばチューナ等である。
５１は復調部である。復調部５１では受信部５０で受信した放送の信号が復調され、トランスポートストリームとなる。
【００１６】
５２はデスクランブラ部である。デスクランブラ部５２では復調部５１で復調されたトランスポートストリームの暗号が解除される。
５３は分離部である。分離部５３ではデスクランブラ部５２で暗号が解除されたトランスポートストリームを例えば映像ストリームと音声ストリームとに分離する。
【００１７】
５４はデコーダ部である。デコーダ部５４では分離部５３で分離された映像ストリームと音声ストリームとをデコードする。
【００１８】
５１〜５４は例えばＬＳＩ（Large Scale Integration）等の集積回路である。
５５は映像出力部である。映像出力部５５ではデコーダ部５４でデコードされた映像ストリームの映像を出力する。映像出力部５５は例えば液晶ディスプレイ、プラズマディスプレイ、有機ＥＬ（electroluminescence）ディスプレイ、他の表示装置へ映像出力端子等である。
【００１９】
５６は音声出力部である。音声出力部５６ではデコーダ部５４でデコードされた音声ストリームの音声を出力する。音声出力部５６は例えばスピーカ、ヘッドホン等である。
５７は蓄積制御部である。蓄積制御部５７は、受信したストリームの蓄積を制御する。蓄積制御部５７は例えばＨＤＤインタフェース回路等である。
【００２０】
５８は、蓄積部である。蓄積部５８は、受信したストリームを蓄積する。蓄積部５８は例えばＤＶＤなどの光ディスクやハードディスクドライブ（ＨＤＤ）やフラッシュメモリ等であってもよいし、これらを着脱可能にしたものであってもよい。
蓄積部５８に蓄積されたストリームを再生するときには、蓄積部５８から取り出された信号が、蓄積制御部５７を経由して、多重分離部５３から映像音声のデコーダ５４に入力されてデコードされ、表示装置５５、スピーカ５６から映像音声として出力される。
【００２１】
５９はCentral Processing Unit（ＣＰＵ）である。ＣＰＵ５９は上記各ブロックの制御を行う。
上記構成の５０〜５４、５７及び５９については、一つの回路として構成されていてもよいし、複数の回路で構成されていてもよい。
【００２２】
次に、図１に本発明の実施例１における受信装置の機能ブロック図を示す。
受信装置１００は、放送波１が入力される第１の受信部２と、第１の時刻抽出部３と、通信回線１１が接続される第２の受信部１２と、第２の時刻抽出部１３と、信号処理部４と、蓄積部５と、時刻管理制御部６と、電子時計７と、時計が設定済か否かを示す設定済フラグ８と、使用期限情報抽出部９と、再生可否判定部１０と、デコーダ１４と、出力装置１５と、外部ポート１６から構成される。
【００２３】
放送波１は例えば地上デジタル放送の放送波や、ＢＳデジタル放送の放送波であり、通信回線１１は例えばＡＤＳＬ（Asymmetric Digital Subscriber Line）回線や光ファイバ等のインターネット回線、電話回線等である。
【００２４】
第１の受信部２は、例えば図４のチューナ５０、復調５１及びデスクランブラ５２で実現され、放送波を受信する。第２の受信部１２は例えばネットワークインタフェースで構成され、通信回線からの情報を受信する。第１の時刻抽出部３は例えば図４の多重分離５３で実現され、第１の受信部で受信した放送波から時刻の情報を抽出する。
【００２５】
第２の時刻抽出部１３の機能は例えばソフトウエアで実現され、第２の受信部で受信した情報から時刻の情報を抽出する。
使用期限抽出部９は例えばソフトウエアで実現され、コンテンツの使用期限の情報を抽出する。
【００２６】
信号処理部４は例えば図４の蓄積制御部５７で実現され、第１の受信部２、第２の受信部１２、蓄積部５等からの信号を処理する。
蓄積部５は例えば図４の蓄積部５８で実現され、信号処理部４からの情報を蓄積する。
【００２７】
時刻管理制御部６と再生可否判定部１０とは例えば図４のＣＰＵ５９で実現され、時刻管理制御部６は電子時計７を制御し、再生可否判定部１０はコンテンツの再生の可否を判定する。
デコーダ１４は例えば図４のデコーダ５４で実現され、エンコードされたコンテンツをデコードする。
【００２８】
出力装置１５は例えば図４の表示装置５５及び／又はスピーカ５６で実現され、デコーダ１４でデコードされたコンテンツ出力する。出力装置１５は必ずしも受信装置１００に含まれる必要はなく、受信装置１００の外に設けてもよい。
設定済フラグ８は例えば別途設けられるメモリや蓄積部５８等に記録される。
電子時計７と外部ポート１６は例えば図４に示す構成に加えて別途設けられ、電子時計７は時間を計り、外部ポート１６は外部に情報を出力する。
【００２９】
以下、図１を参照して当該受信装置の動作を説明する。
デジタルテレビジョン放送の映像や音声を含むコンテンツのデータが放送波１としてチューナや復調部からなる第１の受信部２に入力されると、当該コンテンツのデータは信号処理部４を経由し、デコーダ１４でデコードされ、出力装置１５に送られて再生される。当該コンテンツのデータを記録する場合は、信号処理部４を経由し、蓄積部５に蓄積される。
【００３０】
また、通信回線１１から映像や音声のコンテンツのデータが第２の受信部に入力されると、信号処理部４を経由し、デコーダ１４でデコードされ、出力装置１５に送られて再生される。当該コンテンツのデータを記録する場合は、信号処理部４を経由し、蓄積部５に蓄積される。
【００３１】
ここで、通信回線１１から、有料のサービスなどで、「購入後４８時間以内」などの使用期限が設定されているコンテンツをダウンロードにより取得し、蓄積部５に蓄積された場合を考える。この場合、コンテンツの使用期限を示す情報も、蓄積部５またはそれに変わる蓄積機能に蓄積されている。ユーザがこのコンテンツの再生を指示すると、使用期限情報抽出部９が、信号処理部４を通して、蓄積部５から使用期限を示す情報を読み出し、再生可否判定部１０に送る。再生可否判定部１０は使用期限情報と、電子時計７から取得した現在の時刻とから、このコンテンツの再生可否を判定する。使用期限内であるため再生を許可する場合は、蓄積部５から読み出したコンテンツのデータをデコーダ１４に送り、出力装置１５に出力して再生する。使用期限外であり、再生を許可しない場合はコンテンツの再生を行わない。
【００３２】
上記の動作を実現するためには、電子時計７は正確で改竄できないことが望ましい。以下にその仕組みを説明する。
テレビジョン放送受信装置では、内部の電子時計は、電源断時に電池によるバックアップ等は無い場合があり、電源投入する起動時には、その内部時計が正しい時刻を示していないおそれがある。
【００３３】
そこで、前述のように使用期限が設定されたコンテンツの使用可否の判定を正しく行うため、この電子時計７はユーザが時刻を設定できない構成とすると共に、電子時計７が正確な時刻情報により設定されたか、そうでないかを示す設定済フラグ８を準備し、起動時には設定済フラグ８を「未設定」にセットする。
【００３４】
以下、電子時計７の時刻を正しくセットする処理について説明する。
図２は電子時計７の時刻を正しくセットする処理の一例を示すフローチャートである。
【００３５】
処理の開始は、例えば受信装置を起動したときであってもよいし、一定時間ごと（例えば２時間ごと等）、所定の時刻になったら（午前０時になったら等）であってもよい。処理が開始されると、時刻管理制御部６は設定フラグを「未設定」に設定する（Ｓ（ステップ）２０）。
次に、第１の受信部２が放送チャンネルを受信し（Ｓ２１）、第１の時刻抽出部３が第１の時刻情報を抽出する（Ｓ２２）。第１の時刻情報とは、例えばＴＯＴ（Time Offset Table）と呼ばれる時刻情報を持ったパケット等として放送信号に含まれる時刻情報である。
【００３６】
第１の時刻情報が抽出できた場合（Ｓ２３でＹＥＳの場合）、時刻管理制御部６は当該第１の時刻情報に基づいて電子時計に時刻を設定し（Ｓ２７）、設定フラグを「設定済」にセットする（Ｓ２８）。
第１の時刻抽出部で第１の時刻情報を抽出する事ができなかった場合（Ｓ２３でＮｏの場合）、次に、第２の受信部が通信回線１１を経由して時刻サーバ（例えばＮＴＰ（Network Time Protocolの略。ネットワークに接続される機器において、機器が持つ時計を正しい時刻へ同期するためのプロトコル。）サーバ等）に接続し（Ｓ２４）、第２の時刻抽出部１３で第２の時刻情報の抽出を行う（Ｓ２５）。第２の時刻情報とは例えばＮＴＰサーバから取得する情報である。
【００３７】
ここで第２の時刻情報が抽出できた場合（Ｓ２６でＹｅｓの場合）、当該時刻情報に基づいて時刻管理制御部６は電子時計７に時刻を設定し（Ｓ２７）、設定済フラグ８を「設定済」にセットする（Ｓ２８）。第２の時刻抽出部１３で時刻情報を抽出する事ができなかった場合（Ｓ２６でＮｏの場合）、そのまま時刻の取得を終了し、設定済フラグ８は「未設定」のままとなる。
【００３８】
上記の処理により、当該受信装置が有する時計の時刻を正しく設定することができる。
【００３９】
次に、蓄積部５に蓄積されたコンテンツを再生する処理を説明する。図３は蓄積部５に蓄積されたコンテンツの再生可否を判定する処理の一例を示すフローチャートである。処理の開始は、例えばユーザが蓄積されたコンテンツの再生を指示したとき等である。
【００４０】
ユーザが蓄積されたコンテンツの再生を指示すると（Ｓ３０）、使用期限情報抽出部９は蓄積部より当該コンテンツの使用期限情報を抽出し（Ｓ３１）、当該コンテンツに使用期限が設定されているか確認する（Ｓ３２）。
【００４１】
使用期限が設定されていない場合（Ｓ３２でＮｏの場合）、再生を開始する（Ｓ３５）。
使用期限が設定されていた場合（Ｓ３２でＹｅｓの場合）、再生可否判定部１０は設定フラグが「設定済」であるか「未設定」であるかを確認し（Ｓ３３）、「未設定」の場合（Ｓ３３でＮｏの場合）は再生不可であることをユーザに知らせる（Ｓ３６）。
【００４２】
「設定済」である場合（Ｓ３３でＹｅｓの場合）、再生可否判定部１０は次に電子時計の現在の時刻が当該コンテンツの使用期限内であるか否かを判定し（Ｓ３４）、使用期限内である場合（Ｓ３４でＹｅｓの場合）、デコーダ１４にデータを送り、再生を開始する（Ｓ３５）。使用期限外である場合（Ｓ３４でＮｏの場合）、再生不可であることをユーザに知らせる（Ｓ３６）。
【００４３】
再生可否判定部１０は、Ｓ３６で再生不可であることをユーザに知らせる場合、再生不可である理由や再生可能にする方法を併せてユーザに知らせるように構成してもよい。
【００４４】
例えば、設定フラグが「未設定」であるために再生不可となった場合（Ｓ３３又は実施例２のＳ５２でＮｏの場合）は時刻を正しく設定できる状態にすることをユーザに促す旨の表示（「放送波を受信できる状態にして下さい」「通信回線に接続してください」等の表示）を出力してもよい。
【００４５】
また、例えば使用期限を過ぎているため再生不可となった場合（Ｓ３４でＮｏの場合）は、使用期限が過ぎているため再生できない旨の表示や、使用期限を延長する等の手続をユーザに促す旨の表示（「ライセンスを再取得して下さい」等）を出力してもよい。
【００４６】
上記によれば、正しい時刻を基準にコンテンツの使用期限が過ぎているかの判断ができ、時刻を改竄して使用期限の過ぎたコンテンツを再生することを防止することができる。
【実施例２】
【００４７】
次に、図３のＳ３３において設定済フラグが「未設定」であった場合（Ｓ３３でＮｏの場合）に、再度図２のＳ２１〜２８に示す時刻を設定する処理を試みる実施例を説明する。
【００４８】
図５は、実施例２における蓄積部５に蓄積されたコンテンツの再生可否を判定する処理の一例を示すフローチャートである。Ｓ３０〜３６は図３と同様の処理であるため、ここでは図３と異なるＳ５１、５２について説明する。
【００４９】
Ｓ３３で設定済フラグが「未設定」であった場合（Ｓ３３でＮｏの場合）、時刻管理制御部６はＳ２１〜２８に示す時刻を設定する処理を所定の時間又は所定の回数試み、Ｓ５２に移る。
【００５０】
これにより時刻が正しく設定でき、設定済フラグ８が「設定済」となった場合（Ｓ５２でＹｅｓの場合）、Ｓ３４に移る。
Ｓ５１でも時刻が正しく設定できず、設定フラグ８が「未設定」である場合（Ｓ５２でＮｏの場合）、Ｓ３６に移る。
【００５１】
実施例２によれば、使用期限付きコンテンツを再生する前までは時刻が設定されていなかったとしても（設定済フラグ８が「未設定」であったとしても）、当該コンテンツを再生するときに時刻を正しく設定できる状態になっていれば、当該コンテンツを再生することができる。
【００５２】
上記実施例１、２では、時刻情報の取得について放送波又は通信回線から取得する場合を示したが、複数の放送波から取得するようにしても、複数の通信回線から取得する構成にしても上記実施例と同様の効果が得られる。
【００５３】
また、上記実施例ではまず放送波から時刻情報を取得することを試み、放送波から取得できなかった場合に通信回線から時刻情報を取得するように構成したが、先に通信回線から時刻情報を取得することを試み、通信回線から時刻情報を取得できなかった場合に放送波から時刻情報を取得するように構成しても上記実施例と同様の効果が得られる。また、放送波のみ、又は通信回線のみから時刻情報を取得するように構成してもよい。
【００５４】
また、放送波と通信回線以外（例えば標準電波（時刻と周波数の国家標準又は国際標準として、政府や国際機関が放送している電波）等）から時刻情報を取得する手段を備えても、上記実施例と同様の効果が得られる。
【００５５】
また、上記実施例では設定済みフラグが１つとして説明されているが、放送波から取得した時刻情報についての設定済フラグと、通信回線から取得した時刻情報についての設定済みフラグとの２つを有する構成にしてもよい。そして、図３のＳ３３においては、少なくともいずれか一方が「設定済」であればＳ３４に移り、いずれも「未設定」であればＳ３６に映るようにしてもよい。  また、図３のＳ３３において設定済フラグが「未設定」であった場合（Ｓ３３でＮｏの場合）、再生不可を表示する前に一定時間又は一定回数、図２に示す時刻を正しくセットする処理を行うようにしてもよい。
【００５６】
また、ユーザが時刻を設定できない電子時計７とは別に、ユーザが時刻を設定できる時計を設けてもよい。ユーザが時刻を全く設定できないとすると、例えば自宅の時計は５分進めておきたい等の希望を持つユーザにとって不便である。
【００５７】
かかる場合には、ユーザが見る時計を別個に設け、ユーザが見る時計についてはユーザが時刻を設定できるようにし、使用期限があるコンテンツの再生についてはユーザが時刻を設定できない電子時計７の時刻に基づいて再生の可否を判断するよう構成すればよい。
【００５８】
また、ユーザが電子時計７の時刻を設定できる構成にした場合に、ユーザが電子時計７の時刻を設定したら設定済フラグ８が「未設定」となるように構成すれば、ユーザによる電子時計７の時刻の設定を可能としつつ、時刻の改竄により再生期限を過ぎたコンテンツを再生することを防ぐことができる。
前記課題を解決するために、本発明の一実施の態様は、使用期限が設定されたコンテンツの再生可否を判定するための電子時計について、ユーザによる時刻の設定を禁止し、受信装置の起動後に、デジタル放送のストリームに多重されている時刻情報と、通信回線上にある時刻サーバから取得する時刻情報等の、複数の手段を用いて入手する時刻情報を利用して、電子時計を設定し、設定済を示すフラグを設定する。コンテンツを再生する場合は、この設定済を示すフラグが設定されているかどうかを確認し、使用期限のあるコンテンツの再生可否の判定と再生の制御を行う。
なお、上述の実施例は少なくとも下記を開示している。
（１）
時間を示す時間情報を受信する受信部と、
装置の内部の時間を計算する内部時計と、
前記受信部が受信した時間情報に基づいて前記内部時計を設定する時間管理制御部と、
記録媒体に記録された情報から当該情報を使用する期限を示す使用期限情報を抽出する使用期限情報抽出部と、
前記使用期限情報抽出部で抽出された使用期限情報と、前記内部時計が計算する装置の内部の時間とを比較し前記記録媒体に記録された情報を出力するか否かの判定をする出力可否判定部とを備える受信装置。
（２）
（１）の受信装置であって、
前記出力可否判定部は前記装置の内部の時間が前記使用期限情報が示す期限内であれば前記記録媒体に記録された情報を出力し、前記装置の内部の時間が前記使用期限情報が示す期限を過ぎていたら前記記録媒体に記録された情報を出力しない判定をする受信装置。
（３）
（１）又は（２）の受信装置であって、
前記時間管理制御部が前記内部時計の設定を行ったか否かを示す設定済情報を記録する記録部を有し、
前記出力可否判定部は前記設定済情報に基づいて前記記録媒体に記録された情報を出力するか否かの判定をする受信装置。
（４）
（３）の受信装置であって、
前記出力可否判定部は、前記設定済情報が前記内部時計の設定を行っていないことを示すときは、前記使用期限情報が示す使用する期限に関わらず前記記録媒体に記録された情報を出力しない判定をする受信装置。
（５）
装置の内部の時間を計算する内部時計と、
時間を示す第１の時間情報を受信する第１の受信部と、
時間を示す第２の時間情報を受信する第２の受信部と、
前記第１の受信部で受信した第１の時間情報又は前記第２の受信部で受信した第２の時間情報に基づいて前記内部時計を設定する時間管理制御部と、
前記時間管理制御部が前記内部時計の設定を行ったか否かを示す設定済情報を記録する記録部と、
記録媒体に記録された情報から当該情報を使用する期限を示す使用期限情報を抽出する使用期限情報抽出部と、
前記記録部に記録された設定済情報と、前記使用期限情報抽出部で抽出された使用期限情報と、前記内部時計が計算する装置の内部の時間とに基づいて前記記録媒体に記録された情報を出力するか否かの判定をする出力可否判定部とを備える受信装置。
（６）
（５）の受信装置であって、
前記出力可否判定部は、前記設定済情報が前記内部時計の設定を行っていないことを示すときは、前記使用期限情報が示す使用する期限に関わらず前記記録媒体に記録された情報を出力しない判定をし、
前記設定済情報が前記内部時計の設定を行ったことを示すときは、前記装置の内部の時間が前記使用期限情報の示す期限内であれば前記記録媒体に記録された情報を出力する判定を、前記装置の内部の時間が前記使用期限情報の示す期限を過ぎていたら前記記録媒体に記録された情報を出力しない判定をする受信装置。
（７）
（５）又は（６）の受信装置であって、
前記時間管理制御部は、前記第１の受信部で前記第１の時間情報を受信できなかった場合に前記第２の受信部で受信する第２の時間情報に基づいて前記内部時計を設定する受信装置。
（８）
（５）〜（７）のいずれかの受信装置であって、
前記第１の受信部は放送波を受信し、
前記第２の受信部は通信回線を介して情報を受信する受信装置。
（９）
（１）〜（８）のいずれかの受信装置であって、
前記出力可否判定部は前記記録媒体に記録された情報を出力しない判定をした場合、当該情報を出力しない旨のメッセージを出力する受信装置。
（１０）
時間を示す時間情報を受信し、
前記受信した時間情報に基づいて時計を設定し、
前記時計の設定を行なったか否かを示す設定済情報を記録し、
記録媒体に記録された情報から当該情報を使用する期限を示す使用期限情報を抽出し、
前記設定した時計と前記抽出した使用期限情報と前記設定済情報とに基づいて前記記録媒体に記録された情報を出力するか否かを判定する受信方法。
（１１）
（１０）の受信方法であって、
前記設定済情報が前記時計の設定を行わなかったことを示していた場合には前記使用期限情報が示す当該情報を使用する期限に関わらず当該情報を出力せず、
前記設定済情報が前記時計の設定を行ったことを示していた場合には、前記設定した時計と前記抽出した使用期限情報とを比較し、前記使用期限情報が示す当該情報を使用する
期限が前記設定した時計が示す時間を過ぎていなければ前記記録媒体に記録された情報を出力し、前記使用期限情報が示す当該情報を使用する期限が前記設定した時計が示す時間を過ぎていたら前記記録媒体に記録された情報を出力しない受信方法。
【図面の簡単な説明】
【００５９】
【図１】受信装置の機能ブロックの構成例を示す図である。
【図２】受信装置の電子時計に時刻を設定する処理の一例を示すフローチャートである。
【図３】蓄積部に蓄積されたコンテンツの使用期限を判定する処理の一例を示すフローチャートである。
【図４】受信装置のハードウェア構成の一例を示す図である。
【図５】蓄積部に蓄積されたコンテンツの使用期限を判定する処理の一例を示すフローチャートである。
【符号の説明】
【００６０】
１  放送波、２  第１の受信部、３  第１の時刻抽出部、４  信号処理部、
５  蓄積部、６  時刻管理制御部、７  電子時計、８  設定済フラグ、
９  使用期限情報抽出部、１０  再生可否判定部、１１  通信回線、
１２  第２の受信部、１３  第２の時刻抽出部、１４  デコーダ、
１５  出力装置、１６  外部ポート
【図１】
0005235347.tif 000002
【図２】
0005235347.tif 000003
【図３】
0005235347.tif 000004
【図４】
0005235347.tif 000005
【図５】
0005235347.tif 000006